(57)【要約】      （修正有）【課題】暗所で発光する蓄光体の形状に意匠部が制約されることなく、長時間の発光が得られる意匠部材や、意匠部材が適用されたスライドファスナーの引手等を提供すること。【解決手段】蓄光体と、蓄光体の表面を部分的に覆う遮光部６とを備え、蓄光体の表面が部分的に表れる露出部７と遮光部６のうち少なくとも一方を意匠部４ａとすることを特徴とする意匠部材４。【選択図】図１
2015033514.tif 000002
【特許請求の範囲】
【請求項１】
蓄光体（５）と、前記蓄光体（５）の表面を部分的に覆う遮光部（６）とを備え、前記蓄光体（５）の表面が部分的に表れる露出部（７）と前記遮光部（６）のうち少なくとも一方を意匠部（４ａ）とすることを特徴とする意匠部材。
【請求項２】
請求項１記載の意匠部材（４）と、引手本体（２）と、前記引手本体（２）をスライダー胴体（９３ａ）に取付けるための連結部（３）とを有し、
前記意匠部材（４）は、前記引手本体（２）と同一部材、又は前記引手本体（２）に取り付けられた別部材であることを特徴とする引手。
【請求項３】
請求項１記載の意匠部材（４）と、ボタン本体（９）と、前記ボタン本体（９）を被着体に取付けるための連結部（３）とを有し、
前記意匠部材（４）は、前記ボタン本体（９）と同一部材、又は前記ボタン本体（９）に取り付けられた別部材であることを特徴とするボタン。
【請求項４】
蓄光体（５）の表面に遮光塗料を塗装することにより、前記蓄光体（５）の表面を覆う遮光部（６）を形成し、前記遮光部（６）の一部にレーザ加工を施すことにより、前記遮光部（６）の前記一部が除去されると共に前記蓄光体（５）の表面が表れる露出部（７）が形成され、前記遮光部（６）と前記露出部（７）のうち少なくとも一方を意匠部（４ａ）とすることを特徴とする意匠部材の製造方法。
【請求項５】
蓄光体（５）の表面に印刷加工を施すことにより、転写領域には前記蓄光体（５）の表面を部分的に覆う遮光塗料の遮光部（６）を形成すると共に、非転写領域には前記蓄光体（５）の表面が部分的に表れる露出部（７）を形成し、前記遮光部（６）と前記露出部（７）のうち少なくとも一方を意匠部（４ａ）とすることを特徴とする意匠部材の製造方法。
【発明の詳細な説明】
【技術分野】
【０００１】
本発明は、意匠部材、意匠部材が適用された引手（スライドファスナーの引手）、意匠部材が適用されたボタン（留具としてのボタン）、及びこれらに使用する意匠部材の製造方法に関する。
【背景技術】
【０００２】
スライドファスナーの引手の一例としては、金属製の帯状体の上に蓄光顔料を含む樹脂すなわち蓄光体を積層したものが知られている（特許文献１）。また蓄光体は、タイピン、ペンダント等のアクセサリー類にも用いられており、このような蓄光体を適用した一例として、基材層の一面全域に第１透明樹脂層を積層し、第１透明樹脂層の上面における所望の位置に蓄光体としての蓄光層を積層し、蓄光層を積層した領域以外における第１透明樹脂層の上面及び蓄光層の上に第２透明樹脂層を積層し、蓄光層の真上を除く領域における第２透明樹脂層の上に印刷層を積層したものが知られている（特許文献２）。
【０００３】
また蓄光体に光をあてておくと、暗所で蓄光体は発光することが知られている。従って暗所では蓄光体は、その形状通りの視認効果を与えることができる意匠部材として機能するものである。
【先行技術文献】
【特許文献】
【０００４】
【特許文献１】欧州特許出願公開第１３３６３４９号明細書
【特許文献２】特開平８−２０７１９４号公報
【発明の概要】
【発明が解決しようとする課題】
【０００５】
しかしながら前記した二例は、何れも蓄光体の形状を一定とするので、その形状が示す文字や模様等そのものが視認される部分すなわち意匠部である。つまり蓄光体が単独で意匠部材を構成しているので、蓄光体の形状そのものが意匠部である。従って異なる文字、模様、ロゴ等を示したければ、その示したい形状毎に蓄光体を製造しなければならず、蓄光体の形状に意匠部としての視認効果が制約されるという問題がある。
【０００６】
また蓄光体の発光時間は、その体積、正確には蓄光顔料の使用量にある程度左右されるものであり、近年、長時間の発光が得られる蓄光体を適用した製品を望む需要が、スライドファスナーの引手や留具としてのボタン、或いはタイピン、ペンダント等のアクセサリー類等には存在する。
【０００７】
本発明は上記実情を考慮して創作されたものであり、その目的は、蓄光体の形状に意匠部が制約されることなく、しかも、長時間の発光が得られる意匠部材を提供すること、並びにその意匠部材が適用されたスライドファスナーの引手や留具としてのボタン等を提供することである。
【課題を解決するための手段】
【０００８】
本発明の意匠部材は、蓄光体と、蓄光体の表面を部分的に覆う遮光部とを備え、蓄光体の表面が部分的に表れる露出部と遮光部のうち少なくとも一方を意匠部とすることを特徴とする。
【０００９】
また本発明のうち引手は、意匠部材と、引手本体と、引手本体をスライダー胴体に取付けるための連結部とを有するものとする。そして意匠部材は、引手本体と同一部材、又は前記引手本体に取り付けられた別部材であるものとする。
【００１０】
さらに本発明のうちボタンは、意匠部材と、ボタン本体と、ボタン本体を被着体に取付けるための連結部とを有するものとする。そして意匠部材は、前記ボタン本体と同一部材、又は前記ボタン本体に取り付けられた別部材であるものとする。
【００１１】
また本発明の意匠部材の製造方法としては、以下の二つの製造方法がある。
第一の製造方法は、蓄光体の表面に遮光塗料を塗装することにより、蓄光体の表面を覆う遮光塗料の遮光部を形成し、遮光部の一部にレーザ加工を施すことにより、遮光部の前記一部が除去されると共に蓄光体の表面が表れる露出部が形成され、遮光部と露出部のうち少なくとも一方を意匠部とするものである。
【００１２】
第二の製造方法は、蓄光体の表面に印刷加工を施すことにより、転写領域には蓄光体の表面を部分的に覆う遮光塗料の遮光部を形成すると共に、非転写領域には蓄光体の表面が部分的に表れる露出部を形成し、遮光部と露出部のうち少なくとも一方を意匠部とするものである。
【発明の効果】
【００１３】
本発明の意匠部材によれば、蓄光体の表面に対して形成された露出部と遮光部の少なくとも一方を意匠部材の意匠部としているので、遮光部と露出部の形成具合により意匠部を特定できることになる。従って蓄光体の形状に意匠部は制約されないものとなる。また蓄光体は、意匠部となる部分よりも大きいので、長時間の発光時間を得ることができる。
【００１４】
このような意匠部材を適用した引手やボタンも同様の効果が得られる。
【００１５】
また本発明の意匠部材の製造方法によれば、蓄光体に対してレーザ加工や印刷加工をすることにより、蓄光体と異なる形状に意匠部を形成できる。
【図面の簡単な説明】
【００１６】
【図１】本発明の第一実施形態の引手を示す斜視図である。
【図２】（ａ）〜（ｄ）図は、引手の製造方法の一例についての手順を示す説明図である。
【図３】（ａ）〜（ｃ）図は、引手の製造方法の別例についての手順を示す説明図である。
【図４】レーザ加工によって形成された意匠部の一部を拡大して示す顕微鏡写真である。
【図５】印刷加工によって形成された意匠部の一部を拡大して示す顕微鏡写真である。
【図６】第一実施形態の引手を適用したスライドファスナーを示す正面図である。
【図７】図６のVII−VII線切断部の切断面のみを示す端面図である。
【図８】本発明の第一実施形態の引手の変形例を示す正面図である。
【図９】図８のIV−IV線切断部の切断面のみを示す端面図である。
【図１０】本発明の第二実施形態の引手を示す正面図である。
【図１１】（ａ）（ｂ）図は、第二実施形態の引手に適用可能な意匠部材の他の例を示す正面図である。
【図１２】本発明の第三実施形態の引手を示す斜視図である。
【図１３】（ａ）図は本発明の第四実施形態の引手を適用した紐ファスナーを示す正面図、（ｂ）図は紐ファスナーのスライダーを示す斜視図、（ｃ）図はスライダーのスライダー胴体を示す斜視図、（ｄ）図は第四実施形態の引手を示す斜視図である。
【図１４】第四実施形態の引手の他の例を示す正面図である。
【図１５】本発明の第五実施形態のボタンを示す正面図である。
【図１６】図１５のXVI−XVI線切断部断面図である。
【発明を実施するための形態】
【００１７】
スライドファスナー９０は、図６に示すように、左右に対向する長尺な一対のファスナーテープ９１、９１と、各ファスナーテープ９１の左右方向（幅方向）の内側端部に沿って所定間隔おきに固定されるエレメント９２と、左右のエレメント９２、９２を噛合又は解放させるスライダー９３を主体として構成される。
【００１８】
因みに方向性について明確な説明が必要な場合には次の例によるものとする。ファスナーテープ９１の幅方向を左右方向（図６の紙面の左側を左方向、右側を右方向）と称し、ファスナーテープ９１の長手方向を前後方向（図６の紙面の上側を前方向、下側を後方向）と称し、ファスナーテープ９１の厚み方向を上下方向（図６の紙面に対する垂直方向の手前側を上方向、垂直方向の奥側を下方向）と称する。
【００１９】
またスライドファスナー９０は、一対のファスナーテープ９１、９１の対向する側端部であって且つ長手方向の前端部には止具９４をそれぞれ固定してある。さらに一対のファスナーテープ９１、９１の対向する側端部であって後端部においては、左側のファスナーテープ９１に蝶棒９４ａが固定され、右側のファスナーテープ９１に箱棒９４ｂが固定されている。また箱棒９４ｂと一体の箱体９４ｃが箱棒９４ｂの後端部から左側に突出しており、箱体９４ｃの前面側には蝶棒９４ａの後端部を収容可能としている。これら蝶棒９４ａ、箱棒９４ｂ、箱体９４ｃを組み合わせたものが、開離嵌挿具と称されるものである。
【００２０】
スライダー９３は、左右のエレメント９２、９２に沿って摺動するスライダー胴体９３ａと、スライダー胴体９３ａに取り付けられる引手１とから構成される。なおスライダー胴体９３ａの上面側には引手取付部９３ｂがスライダー胴体９３ａの一部として設けられており、引手取付部９３ｂには左右方向に貫通する抜孔（図示せず。）が形成される。このような引手取付部９３ｂに対して引手１はスライダー胴体９３ａに揺動自在に取り付けられる。
【００２１】
スライダー胴体９３ａは、引手取付部９３ｂの他に、引手取付部９３ｂを左右の幅中央部の上面に設ける上翼板９３ｃを備えている。またスライダー胴体９３ａは図示していない構成として、上翼板９３ｃに対して下方に離隔する状態で対向して配置される下翼板と、上下翼板を互いの左右の幅中央部の前部において接合する案内柱と、上下翼板のうち少なくとも一方における左右の幅外側部から、上下翼板の離隔する間隔を狭める方向へ突出する左右のフランジとを備えている。因みにこの例では、上下翼板の双方において互いの左右の幅外側部から左右のフランジが突出しており、上下に対向するフランジの間にファスナーテープ９１を通過させる間隔が形成されているものとする。そして上下翼板の間に形成される内部空間は、左右の幅中央部が案内柱によって仕切られ、左右の幅外側部における上下間隔が左右上下のフランジによって狭められることから、Ｙ字状の案内路となる。そしてスライダー胴体９３ａを前後に移動させることにより、この案内路内で左右のエレメント９２、９２同士が噛合い、又は分離する。
【００２２】
本発明の第一実施形態の引手１は、図１、図６又は図７に示すように、指で摘まむための引手本体２と、引手本体２をスライダー胴体９３ａの引手取付部９３ｂに取り付けるための連結部３と、引手本体２と同一部材の意匠部材４とから構成されるものである。
【００２３】
意匠部材４は、所望の形状を有する蓄光体５と、蓄光体５の表面を部分的に覆う遮光部６とを備え、遮光部６によって覆われていない部分すなわち蓄光体５の表面が表れる部分が、結果的に露出部７となり、この露出部７を所望の文字、模様、ロゴ等の意匠部４ａとするものである。
【００２４】
第一実施形態での蓄光体５の形状は、図２（ａ）に示すように肉厚の厚い板状であって、円盤状の胴部５ａと、胴部５ａの外周の前部から放射状に前方に突出する頭部５ｂとからなる形状である。また蓄光体５は、蓄光顔料を含む樹脂（例えば蓄光顔料とシリコンを含む合成樹脂の成形品）から構成されるものである。そして、蓄光顔料は、光のエネルギーを吸収蓄積して、光のエネルギーを自発的に放出するものである。
【００２５】
また遮光部６は、遮光塗料が硬化した被膜で、蓄光体５の表面の大部分を覆っており、遮光部６によって覆われていない部分は、蓄光体５の表面の一部のみ（蓄光体５の上面の一部のみ）であり、この一部は星形となっている。なお遮光塗料は光の透過を遮るものである。
【００２６】
また連結部３は、引手取付部９３ｂに対して取り付けるための挿通部３ａと、引手本体２への接合部（図示せず。）とを有している。本実施形態では、連結部３は金属製であって、挿通部３ａはＵ字状となっており、このＵ字状の両端からそれぞれ延長する部分が接合部であり、一対の接合部が蓄光体５の内部に埋設されることによって、連結部３は引手本体２に取り付けられている。なお引手１の構成を説明することにより、意匠部材４の構成の一例も合わせて説明されたことになる。
【００２７】
引手１は、次の手順で製造される。
（１）樹脂を射出注入する前段階では、成形金型のキャビティの大部分が蓄光体５の外形を形作る空洞となっており、キャビティの一部には連結部３が収容された状態となっている。そして樹脂をキャビティに射出注入することによって、図２（ａ）に示すように蓄光体５と連結部３を一体化した半製品を、生産する。この半製品に対して意匠部４ａを以下の（２）（３）の手順で形成する。
（２）図２（ｂ）に示すように、金型から取り出した半製品の蓄光体５の全面に遮光塗料を塗布し、乾燥させることによって、遮光塗料が遮光部６になる。
（３）図２（ｃ）に示すようにレーザ加工を行う。因みにレーザ加工のレーザ媒質の一例としては、ＹＡＧレーザが挙げられる。そしてレーザヘッド１１からレーザを下方に照射し、遮光部６の所望の部分を蒸発させることによって除去する。そうすると、遮光部６の下側に隠れていた蓄光体５の表面が表れ、露出部７すなわち意匠部４ａとなる。従って成形金型は一つであっても、遮光部６をどのように除去するかによって意匠部４ａが定まる。つまり蓄光体５の形状と意匠部４ａの形状とは異なっており、蓄光体５の形状に意匠部４ａは制約されないものとなる。以上（１）〜（３）の手順により、図２（ｄ）に示すように引手１は完成する。なお引手１の製造方法を説明することにより、意匠部材４の製造方法の一例も合わせて説明されたことになる。
【００２８】
また意匠部４ａは、レーザ加工に限らず、印刷加工によっても形成可能である。印刷加工は、手動式、又は機械による自動式であり、何れも印刷版の版面を蓄光体５に対して相対的に押圧させ、離隔させるものである。手動式の一例を図３に基づいて説明する。図３（ａ）に示すように成形金型から取り出した半製品の蓄光体５を用意する。そして図３（ｂ）に示すように、印刷版１２（俗に言うスタンプ）の版面１２ａを凹凸面に形成することとし、版面１２ａのうち遮光部６に相当する部分を凸面（転写面）に形成し、版面１２ａのうち露出部７に相当する部分を凹面に形成する。そして凸面に遮光塗料を付け、印刷版１２を蓄光体５の上面に押圧する。その後、印刷版１２を蓄光体５から離隔させれば、蓄光体５の上面のうち凸面が押し付けられた転写領域には遮光塗料が付着し、遮光塗料が乾燥することにより、遮光部６が形成される。一方、蓄光体５の上面のうち凹面に相当する非転写領域には露出部７が形成され、この露出部７が意匠部４ａとなる。この後、蓄光体５の他の面に遮光塗料を塗布し、遮光部６を形成することにより、図３（ｃ）に示すように引手１は完成する。
なお図４、図５には、レーザ加工と印刷加工で形成された各々の意匠部４ａが示されている。図４に示すレーザ加工による意匠部４ａは、図５に示す印刷加工による意匠部４ａに比べて、遮光部６の外周縁が歪みの小さな形状に形成されている。つまりレーザ加工の方が印刷加工よりも高精度な仕上がりとなっている。
【００２９】
上記した第一実施形態の引手１は、蓄光体５が露出部７から光を受けると、光を吸収蓄積して、光のエネルギーを自発的に放射する。従って暗所であれば、露出部７すなわち意匠部４ａが光り、意匠部４ａを星形と視認することができる。つまり暗所において露出部７と遮光部６との明暗差によって視認される部分が意匠部４ａとなる。また蓄光体５は、意匠部４ａとなる部分よりも大きくなるように形成されているので、長時間の発光時間を得ることができる。
【００３０】
本発明の第一施形態の引手１の変形例は、図８、図９に示すように、遮光部６を意匠部４ａとし、遮光部６の形状を際立させるために露出部７を用いる点において、第一実施形態の引手１と相違する。
より詳しく言えば、意匠部４ａとしての遮光部６は、蓄光体５の上面の一部を星形状に覆っており、遮光部６の無い部分を蓄光体５が表れる露出部７としてある。この場合は、暗所において露出部７が光ることにより、光らない遮光部６を星形の意匠部４ａとして視認できる。
【００３１】
本発明の第二実施形態の引手１は、図１０に示すように、引手本体２と意匠部材４とが互いに別部材であって、引手本体２に意匠部材４を取り付けてある点、連結部３をストラップとする点において、第一実施形態の引手１と相違する。
【００３２】
より詳しく言えば、この実施形態では、引手本体２の一部に連結部３が取り付けられ、別の一部に意匠部材４が取り付けられている。また引手本体２の形状は、肉厚の厚い板状であって、矩形の一辺（後方の辺）を半円状に膨らませた形状をしている。そして引手本体２は、蓄光体５とは異なる材料（例えばシリコン以外の樹脂や金属）によって成形され、その表面の一部（上面中央部）に段差状に窪んだ凹部２ａを備えている。この凹部２ａに意匠部材４が収容され、意匠部材４が凹部２ａに接着して取り付けられる。
【００３３】
意匠部材４に用いる蓄光体５は、凹部２ａに嵌まる大きさである。そして蓄光体５の上面の一部に遮光部６を形成し、遮光部６が形成されていない部分を露出部７（意匠部４ａ）としたものである。この意匠部４ａは、１つの大きな星形となっているが、どのような形状であっても良く、図１１（ａ）に示すように大小複数の形状であっても良いし、図１１（ｂ）に示すようにアルファベットでも良く、またはそれらの組合せであっても良い。
【００３４】
また連結部３は、前述のようにストラップ（紐や帯）であって、その両端部を引手本体２の前端部に埋設してある。
【００３５】
本発明の第三実施形態の引手１は、図１２に示すように、引手本体２と同一部材である意匠部材４が直方体形状であって、直方体形状の複数面に露出部７すなわち意匠部４ａを形成している点において、第一実施形態の引手１と相違する。
より詳しく言えば第三実施形態での意匠部材４は、直方体形状の蓄光体５の上面と左右側面に異なる形状の露出部７を形成してある。蓄光体５の上面には１つの露出部７が星形に形成されており、蓄光体５の左右側面には３つの露出部７が前後方向に間隔をあけて、各々四角形に形成されている。露出部７の面積を増加させることによって、蓄光体５が吸収蓄積する光量が増大し、長時間の発光を可能とする。また、例えば光源が左側に位置する場合、蓄光体５の左側面に形成された露出部７に光が当たり、正面と右側面に形成された露出部７には光が殆ど当たらないことになるが、暗所においては蓄光体５の左側面だけでなく正面と右側面の露出部７からも発光して、各露出部７が意匠部４ａとなる。
【００３６】
図１３には、スライドファスナー９０の特殊な例としての紐ファスナーが示されている。紐ファスナーは、１本のファスナーチェーン９５と、ファスナーチェーン９５の対向する２列のエレメント列９２ａ、９２ａに沿って摺動するスライダー９３と、スライダー９３の抜け止め用のキャップ９６とを備えている。
【００３７】
ファスナーチェーン９５は、多数のエレメント９２と、可撓性を有する芯紐９５ａとを有し、芯紐９５ａに一定の間隔をあけてエレメント９２を固定してある。そして一定の間隔で配列されたエレメント９２により、一列状となったエレメント列９２ａが形成される。この一列状のエレメント列９２ａは、芯紐９５ａをその長手方向中間部においてループ状に屈曲させることによって、その長手方向全長のほぼ半分を境にして対向する２列のエレメント列９２ａ、９２ａとなる。
【００３８】
そしてファスナーチェーン９５の両端部における２列のエレメント列９２ａ、９２ａを噛み合わせて一列状とし、一列状となったファスナーチェーン９５の両端部をキャップ９６の内部にまとめて嵌めることによってファスナーチェーン９５にキャップ９６は取り付けられる。
【００３９】
スライダー９３は、左右のエレメント９２、９２に沿って摺動するスライダー胴体９３ａと、スライダー胴体９３ａに取り付けられる引手１とから構成される。なおスライダー胴体９３ａの左右面側には引手取付部９３ｂがスライダー胴体９３ａの一部として設けられており、引手取付部９３ｂによって引手１はスライダー胴体９３ａに着脱可能に取り付けられる。
【００４０】
スライダー胴体９３ａは、上下に離隔する状態で対向して配置される上翼板９３ｃ及び下翼板９３ｄと、上下翼板９３ｃ、９３ｄを互いの左右の幅中央部の前部において接合する案内柱９３ｅと、上下翼板９３ｃ、９３ｄの左右の幅外側部を接合する左右のフランジ９３ｆ、９３ｆとを備えている。そして上下翼板９３ｃ、９３ｄの間に形成される内部空間は、左右の幅中央部が案内柱９３ｅによって仕切られ、左右の幅外側部が左右のフランジ９３ｆ、９３ｆによって狭められることから、Ｙ字状の案内路となる。また左右のフランジ９３ｆ、９３ｆにはその左右方向における外側の側面に係止凹部９３ｈが段差状に窪んで形成されている。より詳しくは、各フランジ９３ｆの左右方向における外側の側面は、矩形状をなす周縁部９３ｉを側方に突出すると共に、周縁部９３ｉの内側には段差状に窪んだ係止凹部９３ｈを備えている。そして左右一対の係止凹部９３ｈ、９３ｈにより引手取付部９３ｂが形成される。
【００４１】
本発明の第四実施形態の引手１は、スライダー胴体９３ａの上翼板９３ｃよりも大きな引手本体２であって指で摘まむための引手本体２と、引手本体２をスライダー胴体９３ａの引手取付部９３ｂに取り付けるための連結部３とから構成される。また引手本体２及び連結部３は一体物であって、この一体物は引手１であり、しかも引手１と同一部材の意匠部材４でもある。
【００４２】
意匠部材４は、リボン結び形状の引手本体２と、引手本体２の裏面側から下方に突出する連結部３との一体物である。
引手本体２は、リボン結びの結び目部がスライダー胴体９３ａと同等の形状であり、リボン結びの左右端部（結び目部に対して左右外側に隣り合う部分）がスライダー胴体９３ａよりも左右に突出している形状である。
連結部３は、リボン結びの左右端部における左右内側（結び目部の近傍側）から下方へ突出する左右の係合部３ｈ、３ｈと、左右の係合部３ｈ、３ｈの先部から左右方向内側に向かって突出する左右の係止凸部３ｉ、３ｉとから構成される。従って左右の係止凸部３ｉ、３ｉの先部は左右方向内側に対向する状態となっている。このように連結部３は、２つの係止凸部３ｉ、３ｉと、これら係止凸部３ｉ、３ｉを引手本体２に接合するための２つの係合部３ｈ、３ｈとから構成されている。
【００４３】
また引手本体２は、上翼板９３ｃの上面と左右のフランジ９３ｆ、９３ｆの左右外側の側面とが連続する部分に前後方向の中間部を丸く膨らむように面取りした面取り部９３ｊを備えており、各面取り部９３ｊは、意匠部材４の連結部３（一対の係止凸部３ｉ、３ｉ）をスライダー胴体９３ａの引手取付部９３ｂ（一対の係止凹部９３ｈ、９３ｈ）へ案内し易くしてある。
【００４４】
前記した第四実施形態の引手１は、次のようにしてスライダー胴体９３ａに対して着脱する。まず、使用者がスライダー胴体９３ａの上翼板９３ｃ側から左右の面取り部９３ｊ、９３ｊに左右の係止凸部３ｉ、３ｉを合わせ、引手１をスライダー胴体９３ａへ向かって押し込むと、各係止凸部３ｉが面取り部９３ｊの表面を滑っていき、それに伴って左右の係合部３ｈ、３ｈが自身の弾性を利用してその先部同士の間隔を広げ、最終的には各係止凸部３ｉが対応する係止凹部９３ｈに嵌合する。このようにして引手１をスライダー胴体９３ａに連結すると、係止凸部３ｉと係止凹部９３ｈとの嵌合によって、スライダー胴体９３ａと引手１とは位置決めされた状態となる。また使用者がスライダー胴体９３ａを押さえながら、引手１をスライダー胴体９３ａから離れるように上方へ引張ると、係止凸部３ｉが係止凹部９３ｈから脱出する。このような要領で引手１はスライダー胴体９３ａに対して着脱可能な関係にある。
【００４５】
また意匠部材４は、引手本体２と連結部３との一体物の外形を形成する蓄光体５と、蓄光体５の表面を部分的に覆う遮光部６とを備えている。因みにこの例では遮光部６は、蓄光体５のうち連結部３に相当する部分（係合部３ｈ及び係止凸部３ｉ）の表面全域を覆い、蓄光体５のうち引手本体２に相当する部分の表面を部分的に覆っている。より詳しくは、蓄光体５のうち引手本体２に相当する部分は、リボン結び形状の板であり、このリボン結び形状の板の上面以外の面すなわち厚み面（前後左右の面）及び下面における各面の全域を遮光部６は覆っており、リボン結びの形状の板の上面を部分的に遮光部６は覆っている。図示の例では、リボン結びの形状の板の上面における複数個所に様々な大きさの円７ａが示されており、全ての円７ａの外側領域を遮光部６で覆う領域とし、各円７ａの内側領域を遮光部６で覆われない部分すなわち露出部７としている。これによって水玉模様の露出部７が意匠部４ａとなる。
【００４６】
なおリボン結び形状の板の上面に形成する意匠部４ａは、水玉模様を形成する円７ａに限らず、円７ａ以外の形状であっても良く、例えば図１４に示すように、蝶の羽根模様とするために、リボン結びの左右端部に対して、結び目部の近傍から主に横方向に放射状に延長する横縞７ｂを前後方向に間隔をあけて複数形成し、一番後側の横縞７ｂの後ろ側に沿って円７ａを横方向に間隔をあけて形成したものであっても良い。
【００４７】
またスライダー胴体９３ｃに着脱する部材である第四実施形態の引手１は、スライダー胴体９３ａの上翼板９３ｃよりも大きいため引手としての機能を有しつつ、意匠部材としての機能をも有するものであったが、スライダー胴体９３ａの上翼板９３ｃと遜色ない大きさや、上翼板９３ｃよりも小さい大きさの場合には、引手としての機能は失われ、意匠部材としての機能のみを発揮するものとなる。この場合、スライダー胴体９３ｃに着脱する部材は、引手と称するよりも意匠部材と称する方が適している。従ってこの場合、図示しないが、スライダー胴体と、スライダー胴体に取り付ける意匠部材とによって、スライダーが構成される。そして意匠部材は、スライダー胴体に取り付ける連結部を有するものである。なお、連結部は、スナップ式に嵌合するタイプや、硬度の異なる樹脂を用いるタイプに限らずその他の連結方式（例えば、カメラのレンズの装着に用いられることの多いバヨネット式等）を用いるものであっても良い。
【００４８】
本発明の第五実施形態のボタン８は、図１５、図１６に示すように、指で摘まむためのボタン本体９と、ボタン本体９を服等の被着体に取り付けるための連結部３と、ボタン本体９とは別部材の意匠部材４とを主体として構成されるものである。
【００４９】
ボタン本体９は、所望形状であって、具体的な一例としては、蓄光体５を載せる面を上面に備える円盤状の固定台９ａと、固定台９ａの下面中央部から下方に突出する円柱状の外柱９ｂとを備える形状である。
【００５０】
意匠部材４は、固定台９ａの上面に載せる円盤状の蓄光体５と、蓄光体５の上面を部分的に覆う遮光部６とを備え、蓄光体５の上面のうち遮光部６で覆われていない部分が意匠部４ａである。また、意匠部材４を固定台９ａに取り付ける環状部材１３をボタン８は備えている。環状部材１３は、固定台９ａと蓄光体５の外周側を取り囲むと共に重なり合う固定台９ａと蓄光体５の周縁部を上下から挟持することによって（いわゆる加締めることによって）取り付けられている。
【００５１】
連結部３は、ボタン本体９（固定台９ａ）の上面の中央部から下面（外柱９ｂの下面）に向かって上下方向に貫通する取付穴３ｃと、この取付穴３ｃに挿入されることによりボタン本体９に支持される取付部材３ｄとから構成される。
取付部材３ｄは、円盤状の基板３ｅと、基板３ｅの上面中央部から上方に突出する内柱３ｆとを備える。この内柱３ｆが取付穴３ｃに対して密接する状態で挿入されることにより、ボタン本体９と取付部材３ｄとが一体化する。
【００５２】
本発明は上記実施形態に限定されるものではなく、その趣旨を逸脱しない範囲において適宜変更可能である。例えば意匠部材４に設ける意匠部４ａは、遮光部６と露出部７のうち一方だけでなく、両方であっても良い。また意匠部材４は、前記した引手１やボタン８に限らず、タイピン、ペンダント等のアクセサリー類等に適用可能である。
【符号の説明】
【００５３】
１  引手
２  引手本体
２ａ凹部
３  連結部
３ａ挿通部
３ｃ取付穴
３ｄ取付部材
３ｅ基板
３ｆ内柱
３ｈ係合部
３ｉ係止凸部
４  意匠部材
４ａ意匠部
５  蓄光体
５ａ胴部
５ｂ頭部
６  遮光部
７  露出部
７ａ円
７ｂ横縞
８  ボタン
９  ボタン本体
９ａ固定台
９ｂ外柱
１１レーザヘッド
１２印刷版
１２ａ版面
１３環状部材
９０スライドファスナー
９１ファスナーテープ
９２エレメント
９２ａエレメント列
９３スライダー
９３ａスライダー胴体
９３ｂ引手取付部
９３ｃ上翼板
９３ｄ下翼板
９３ｅ案内柱
９３ｆフランジ
９３ｈ係止凹部
９３ｉ周縁部
９３ｊ面取り部
９４止具
９４ａ蝶棒
９４ｂ箱棒
９４ｃ箱体
９５ファスナーチェーン
９５ａ芯紐
９６キャップ
【図１】
2015033514.tif 000003
【図２】
2015033514.tif 000004
【図３】
2015033514.tif 000005
【図６】
2015033514.tif 000006
【図７】
2015033514.tif 000007
【図８】
2015033514.tif 000008
【図９】
2015033514.tif 000009
【図１０】
2015033514.tif 000010
【図１１】
2015033514.tif 000011
【図１２】
2015033514.tif 000012
【図１３】
2015033514.tif 000013
【図１４】
2015033514.tif 000014
【図１５】
2015033514.tif 000015
【図１６】
2015033514.tif 000016
【図４】
2015033514.tif 000017
【図５】
2015033514.tif 000018